(57)【要約】      （修正有）【課題】季節、天候、気温の影響を受けない光伝導式コンテナ型植物工場を提供する。【解決手段】下段部２１がコンテナ１を貫いて農耕空間１１の上方に設けられ、下段部下方の表面に灯具組２２を有し、灯具組の光源はＬＥＤであり、コンテナ上方に設ける少なくとも１組の導光装置２と、少なくとも１組のソーラーパワー貯蔵装置３と、輸送チューブと４１、少なくとも１つのユニバーサルノズル４２とを含む、ユニバーサルノズルを農耕空間の上方に固設し、コンテナの外部に設ける１組の水耕栽培システムおよび１組の環境制御システムと、農耕空間の内部に設ける少なくとも１組の移動式農耕栽培ラックと、を含む。極めて丈夫で、季節、天候、気温の影響と制限を受けず、極端な高温または低温といった異常気象から農作物を保護し、農耕空間内部の温度、湿度、照度及び酸素量の供給を精確に制御し、各種の安全、無害な農作物を作り出すことができる。【選択図】図３
0003212905.tif 000002
【実用新案登録請求の範囲】
【請求項１】
光伝導式コンテナ型植物工場であって、
少なくとも１組の導光装置と、ソーラーパワー貯蔵装置と、水耕栽培システムと、環境制御システムと、を含む農耕空間を有するコンテナを備え、
前記コンテナの上方に設ける前記少なくとも１組の導光装置は、前記導光装置の下段部が前記コンテナを貫いて前記農耕空間の上方に設け、前記下段部下方の表面に灯具組を有し、
前記ソーラーパワー貯蔵装置を前記コンテナの上方に設け、
前記水耕栽培システムを前記コンテナの外部に設け、輸送チューブと、少なくとも１つのユニバーサルノズルとを含む、前記ユニバーサルノズルを前記農耕空間の上方に固設し、
前記１組の環境制御システムを前記コンテナの外部に設け、
少なくとも１組の移動式農耕栽培ラックを前記農耕空間の内部に設けることを特徴とする、光伝導式コンテナ型植物工場。
【請求項２】
前記移動式農耕栽培ラックは、一つまたは複数の垂直式栽培壁を含むことを特徴とする、請求項１記載の光伝導式コンテナ型植物工場。
【請求項３】
前記移動式農耕栽培ラックは、底部の幅が広い、上部の幅が狭い逆Ｖ字構造を形成しており、前記農耕栽培ラックは、少なくとも２つの傾斜式栽培壁を含む、前記傾斜式栽培壁に多数の栽培孔を設けることを特徴とする、請求項１記載の光伝導式コンテナ型植物工場。
【請求項４】
前記灯具組の光源は、ＬＥＤであることを特徴とする、請求項１記載の光伝導式コンテナ型植物工場。
【考案の詳細な説明】
【技術分野】
【０００１】
本考案は光伝導式コンテナ型植物工場に関し、特に農耕空間を設けられたコンテナが極めて丈夫で、季節、天候、気温の影響と制限を受けられず、極端な高温または低温というような異常気象から農作物を保護し、農耕空間内部の温度、湿度、照度及び酸素量の供給を精確に制御し、各種の安全、無害な農作物を作り出すことができる。
【背景技術】
【０００２】
一般の農作物栽培は、極端な高温または低温といった異常気象に耐えることはできず、季節、天候、気温の影響と制限を受けるため、収率悪いほか、農作物の温度、湿度、照度及び酸素量の供給が完全に外部環境に依存している欠点が残るため、考案人が鋭意に研究した結果、斬新な光伝導式コンテナ型植物工場を考案した。
【考案の概要】
【課題を解決するための手段】
【０００３】
本考案の主な目的は光伝導式コンテナ型植物工場に関し、農耕空間を設けられたコンテナが極めて丈夫で、季節、天候、気温の影響と制限を受けられず、極端な高温または低温というような異常気象から農作物を保護し、農耕空間内部の温度、湿度、照度及び酸素量の供給を精確に制御し、各種の安全、無害な農作物を作り出すことができる。
【０００４】
前述目的を達成するため、本考案の光伝導式コンテナ型植物工場は、下段部がコンテナを貫いて農耕空間の上方に設けられ、係る下段部下方の表面に灯具組を有する、コンテナ上方に設ける少なくとも１組の導光装置と、コンテナの上方に設ける少なくとも１組のソーラーパワー貯蔵装置と、輸送チューブと、少なくとも１つのユニバーサルノズルとを含む、ユニバーサルノズルを農耕空間の上方に固設し、コンテナの外部に設ける１組の水耕栽培システムと、コンテナの外部に設ける１組の環境制御システムと、農耕空間の内部に設ける少なくとも１組の移動式農耕栽培ラックと、を含む農耕空間を設けられたコンテナが備えられている。
【０００５】
前述移動式農耕栽培ラックは、一つまたは複数の垂直式栽培壁を含む。
【０００６】
前述移動式農耕栽培ラックは、底部の幅を広く、上部の幅を狭く設けられ、農耕栽培ラックは、少なくとも２つの傾斜式栽培壁を含む、傾斜式栽培壁に多数の栽培孔を設けられている。
【０００７】
前述灯具組の光源はＬＥＤである。
【０００８】
本考案の光伝導式コンテナ型植物工場は、農耕空間を設けられたコンテナが極めて丈夫で、季節、天候、気温の影響と制限を受けられず、極端な高温または低温というような異常気象から農作物を保護し、農耕空間内部の温度、湿度、照度及び酸素量の供給を精確に制御し、各種の安全、無害な農作物を作り出すことができる。導光装置は昼間に太陽光があるときに自然な太陽光をそのまま農耕空間の内部に導いて、農作物に光合成を行わせる。係るソーラーパワー貯蔵装置が太陽光によって電気を貯蔵し、そして、太陽光がないときに各導光装置の灯具組に電気を提供し、農作物に光合成を行わせる。水耕栽培システムと、ユニバーサルノズルが農耕空間内部の農作物に必要な栄養素を提供し、水耕栽培システムは、ソーラーパワー貯蔵装置より電気を提供される。環境制御システムのプロセッサーによって、農耕空間の温度、湿度、照度及び酸素量の供給を制御し、環境制御システムは、ソーラーパワー貯蔵装置より電気を提供される。
【考案の効果】
【０００９】
以下の実施例の説明から、本考案の光伝導式コンテナ型植物工場は、以下に示す効果の向上が分かる。
【００１０】
１．    本考案の光伝導式コンテナ型植物工場の農耕空間を設けられたコンテナが極めて丈夫で、導光装置によって、農作物を農耕空間の内部に栽培し、季節、天候、気温の影響と制限を受けられず、極端な高温または低温というような異常気象から農作物を保護し、各種の安全、無害な農作物を作り出すことができる。
【００１１】
２．    本考案の光伝導式コンテナ型植物工場の水耕栽培システムと、ユニバーサルノズルが噴霧方式によって、農耕空間内部の農作物に必要な栄養素を提供し、農作物が栄養素を充分に吸収して、生産効率を向上できる。
【００１２】
３．    本考案の光伝導式コンテナ型植物工場の環境制御システムによって、農耕空間の温度、湿度、照度と、酸素量をコンピュータ制御し、農作物の成長に必要な環境を提供し、葉野菜、果物、キノコ類、もやしなどの農作がすべて栽培できる。
【００１３】
４．    本考案光伝導式コンテナ型植物工場に関わる導光装置の灯具組が夜間に必要な電力と、水耕栽培システム及び環境制御システムに必要な電力は、ソーラーパワー貯蔵装置から提供できるため、農作物栽培の電気コストを軽減し、省エネ効果の長所を有する。
【００１４】
５．    本考案の光伝導式コンテナ型植物工場に関わる移動式農耕栽培ラックに作業通路空間を最小化にする長所を有しており、農耕空間の耕作面積を充分に利用し、農作物の生産能力を大幅に向上できる。
【００１５】
前述通リ、本考案の光伝導式コンテナ型植物工場の構造、特徴ならび技術手段は、同じ分野の製品に見られない新規性を有しており、本考案の植物工場は、気温、季節の制限を受けられず、各種の農作物を生産することができる。公知技術の耕作空間が極端な天候（極端な高温または低温）環境において、農作物の成長を保護できない課題を改善しており、構造の特徴と技術手段の革新は、たしかに新規性、進歩性ならび産業利用性の特許要件を確実に満たしている。
【図面の簡単な説明】
【００１６】
【図１】本考案の外観図である。
【図２】本考案の前面断面図である。
【図３】本考案の側面断面図である。
【図４】本考案の農耕空間に移動式農耕栽培ラック（垂直式栽培壁）を設置する態様図である。
【図５】本考案の農耕空間に移動式農耕栽培ラック（傾斜栽培壁）を設置する態様図である。
【考案を実施するための形態】
【実施例】
【００１７】
本考案の光伝導式コンテナ型植物工場は、
【００１８】
図１に示す、本考案は少なくとも１組の導光装置２と、少なくとも１組のソーラーパワー貯蔵装置と、１組の水耕栽培システム４２と、１組の環境制御システム５と、少なくとも１組の移動式農耕栽培ラック６、農耕栽培ラック６とを含む、農耕空間１１を有するコンテナ１を備える。
【００１９】
図２と図３に示す、少なくとも１組の導光装置２をコンテナ１の上方に設け、導光装置２の下段部２１がコンテナ１を貫いて、農耕空間１１の上方に設けていて、かつ、下段部２１下端面に一灯具組２２を有し、灯具組２２の光源はＬＥＤである。導光装置２は昼間に太陽光があるときは、自然な太陽光を直接に農耕空間１１の内部に導いて、農作物に光合成を行わせる。
【００２０】
図１ないし３に示す、少なくとも１組のソーラーパワー貯蔵装置３をコンテナ１の上方に設ける。係るソーラーパワー貯蔵装置３が太陽光によって電気を貯蔵し、そして、太陽光がないときに各導光装置２の灯具組２２に電気を提供し、農作物に光合成を行わせる。
【００２１】
図２と図３に示す、コンテナ１の外部に設ける１組の水耕栽培システム４は、輸送チューブ４１と、少なくとも１つのユニバーサルノズル４２とを含む、ユニバーサルノズル４２を農耕空間１１の上方に固設する。水耕栽培システム４と、ユニバーサルノズル４２が噴霧方式によって、農耕空間１１内部の農作物に必要な栄養素を提供する。水耕栽培システム４は、ソーラーパワー貯蔵装置３より電気を提供される。
【００２２】
図２と図３に示す、コンテナ１外部に設ける１組の環境制御システム５を有する。環境制御システム５が温度センサー、湿度センサー、照度センサー、酸素量センサーを有し、農耕空間１１の温度、湿度、照度と、酸素量の供給をコンピュータ制御することができ、環境制御システム５がソーラーパワー貯蔵装置３によって、電気を提供される。
【００２３】
図４に示す、農耕空間１１部に設ける少なくとも１組の移動式農耕栽培ラック６は、一つまたは複数の垂直式栽培壁６１を含む。図５に示す、移動式農耕栽培ラック６’は例えば、底部の幅が広い、上部の幅が狭い逆Ｖ字形構造を形成し、農耕栽培ラック６’は、少なくとも２つの傾斜式栽培壁６２を含む、傾斜式栽培壁６２に多数の栽培孔６３を設けられている。移動式農耕栽培ラック６、６’が農作物を収穫するときに、農耕空間１１を移動することによって、作業通路が形成される。
【００２４】
本考案の光伝導式コンテナ型植物工場は、農耕空間１１を設けられたコンテナ１が極めて丈夫で、農作物を季節、天候、気温の影響と制限を受けずに、農耕空間１１内部の温度、湿度、照度及び酸素量の供給を制御することによって、各種の安全、無害な野菜、果物、キノコ類、もやしなどの農作物を作り出すことができる。導光装置２が昼間に太陽光があるときは、自然な太陽光を直接に農耕空間１１の内部に導いて、農作物に光合成を行わせる。係るソーラーパワー貯蔵装置３が太陽光によって電気を貯蔵し、そして、太陽光がないときに各導光装置２の灯具組２２に電気を提供し、農作物に光合成を行わせる。水耕栽培システム４と、ユニバーサルノズル２２が農耕空間１１内部の農作物に必要な栄養素を提供し、水耕栽培システム４は、ソーラーパワー貯蔵装置３より電気を提供される。環境制御システム５のプロセッサーによって、農耕空間１１の温度、湿度、照度及び酸素量の供給を制御し、環境制御システム５は、ソーラーパワー貯蔵装置３より電気を提供される。
【符号の説明】
【００２５】
１    コンテナ
２    導光装置
３    ソーラーパワー貯蔵装置
４    水耕栽培システム
４１  輸送チューブ
４２  ユニバーサルノズル
５    環境制御システム
６    移動式農耕栽培ラック
６’  移動式農耕栽培ラック
１１  農耕空間
２１  下段部
６１  垂直式栽培壁
２２  灯具組
６２  傾斜式栽培壁
６３  栽培孔
【図１】
0003212905.tif 000003
【図２】
0003212905.tif 000004
【図３】
0003212905.tif 000005
【図４】
0003212905.tif 000006
【図５】
0003212905.tif 000007